(57)【要約】【課題】筐体内部の電気的な構造を簡略化することが可能な携帯電子機器を提供する。【解決手段】携帯電子機器は、操作部１１と、操作部１１が操作されることにより発生する音を検出するマイク２３と、マイク２３により検出された音に基づいて操作部１１への操作を検出する操作検出部３１とを備える。操作検出部３１は、マイク２３により検出された音における、特定の周波数周成分の音に基づいて操作部１１への操作を検出してもよく、音検出部により検出された音における音量に基づいて操作部１１への操作を検出してもよい。【選択図】図２
2011234058.tif 000002
【特許請求の範囲】
【請求項１】
操作部と、
前記操作部が操作されることにより発生する音を検出する音検出部と、
前記音検出部により検出された音に基づいて前記操作部への操作を検出する操作検出部と、を備える携帯電子機器。
【請求項２】
前記操作部と前記音検出部とは隣接して配置される請求項１に記載の携帯電子機器。
【請求項３】
前記操作部への操作により押圧されて弾性変形する弾性部材を備え、
前記操作検出部は、前記音検出部により検出される、前記操作部への操作により押圧されて前記弾性部材が弾性変形するときに生じる音と、前記操作部への操作が終了することにより前記弾性部材が弾性変形する前の状態に遷移するときに生じる音に基づいて前記操作部への操作を検出する請求項１又は請求項２に記載の携帯電子機器。
【請求項４】
前記弾性部材は、導電性のドーム状部材である請求項３に記載の携帯電子機器。
【請求項５】
音情報を記憶する記憶部を有し、
前記操作検出部は、前記音検出部により検出された音と前記記憶部に記憶された音情報との対比結果に基づいて前記操作部への操作を検出し、
前記音情報を、前記音検出部により検出された音に基づいて更新する制御部と、を備える請求項１から請求項４のいずれか一項に記載の携帯電子機器。
【請求項６】
前記音検出部により検出された音を通話信号として外部機器に送信する送信部を有する請求項１から請求項５のいずれか一項に記載の携帯電子機器。
【請求項７】
前記操作検出部は、前記音検出部により検出された音における、特定の周波数成分の音に基づいて前記操作部への操作を検出する請求項１から請求項６のいずれか一項に記載の携帯電子機器。
【発明の詳細な説明】
【技術分野】
【０００１】
本発明は、操作部を備える携帯電子機器に関する。
【背景技術】
【０００２】
携帯電話機等の携帯電子機器は、筐体と、筐体に配置された複数のキー（操作部）と、キーの押下に基づいて電気的な変化を生じさせる電極と、電極に電気的に接続されて電極の電気的な変化を検出すると共に、この検出の結果に基づいてキーの操作を検出する操作検出部とを備える（例えば、特許文献１参照）。
【先行技術文献】
【特許文献】
【０００３】
【特許文献１】特開２００９−１８７５１９号公報
【発明の概要】
【発明が解決しようとする課題】
【０００４】
しかしながら、このような携帯電子機器は、筐体内部の電気的な構造が複雑化するおそれがある。
【０００５】
本発明は、筐体内部の電気的な構造を簡略化することが可能な携帯電子機器を提供することを目的とする。
【課題を解決するための手段】
【０００６】
本発明の携帯電子機器は、操作部と、前記操作部が操作されることにより発生する音を検出する音検出部と、前記音検出部により検出された音に基づいて前記操作部への操作を検出する操作検出部と、を備えることを特徴とする。
【０００７】
また、前記操作部と前記音検出部とは隣接して配置されることが好ましい。
【０００８】
また、前記携帯電子機器は、前記操作部への操作により押圧されて弾性変形する弾性部材を備え、前記操作検出部は、前記音検出部により検出される、前記操作部への操作により押圧されて前記弾性部材が弾性変形するときに生じる音と、前記操作部への操作が終了することにより前記弾性部材が弾性変形する前の状態に遷移するときに生じる音に基づいて前記操作部への操作を検出することが好ましい。
【０００９】
また、前記弾性部材は、導電性のドーム状部材であることが好ましい。
【００１０】
また、前記携帯電子機器は、音情報を記憶する記憶部を有し、前記操作検出部は、前記音検出部により検出された音と前記記憶部に記憶された音情報との対比結果に基づいて前記操作部への操作を検出し、前記音情報を、前記音検出部により検出された音に基づいて更新する制御部と、を備えることが好ましい。
【００１１】
また、前記携帯電子機器は、前記音検出部により検出された音を通話信号として外部機器に送信する送信部を有することが好ましい。
【００１２】
また、前記操作検出部は、前記音検出部により検出された音における、特定の周波数成分の音に基づいて前記操作部への操作を検出することが好ましい。
【発明の効果】
【００１３】
本発明によれば、筐体内部の電気的な構造を簡略化することができる。
【図面の簡単な説明】
【００１４】
【図１】携帯電子機器の一実施形態に係る携帯電話機の外観斜視図である。
【図２】携帯電話機の機能を示す機能ブロック図である。
【図３】操作部を説明するための図である。
【図４】操作部への操作を音により検出することと電気的に検出することとを併用する場合の操作部を説明するための図、及び操作部において発生する音の周波数の違いを説明するための図である。
【発明を実施するための形態】
【００１５】
以下、本発明を実施するための好ましい実施形態について、図面を参照しながら説明する。まず、本発明の携帯電子機器の一実施形態に係る携帯電話機１の基本構造について、図１を参照しながら説明する。図１は、携帯電子機器の一実施形態に係る携帯電話機１の外観斜視図である。
【００１６】
携帯電話機１は、筐体２を備えると共に、この筐体２の前面１０に配置される操作部１１と、表示部２１と、スピーカ２２と、マイク（音検出部の一例）２３とを備える。
操作部１１は、複数のキーから構成される。すなわち、操作部１１は、各種設定機能や辞書機能やメール機能等の各種機能を作動させるための機能設定操作キー１３と、数字や文字を入力するための入力操作キー１４と、各種操作における決定やスクロール等を行う決定操作キー１５とから構成される。
表示部２１は、通話の相手側の電話番号やメールアドレス、及びメールの内容等の各種情報（文字情報や画像情報）を表示する。表示部２１は、例えば、液晶ディスプレイや有機ＥＬ（エレクトロルミネッセンス）ディスプレイ等から構成される。
スピーカ２２は、通話の相手側の音声を出力する。
マイク２３は、携帯電話機１の使用者が通話時に発した音声を入力するために用いられる。
【００１７】
なお、携帯電話機は、図１に示す形態に限定されることはない。例えば、携帯電話機は、表示部を有する表示部側筐体と、操作部を有する操作部側筐体と、表示部側筐体と操作部側筐体とを結合するヒンジ部とを備える折り畳み式の携帯電話機であってもよい。また、携帯電話機は、操作部側筐体と表示部側筐体とを重ね合わせた状態から一方の筐体を一方向にスライドさせるようにしたスライド式や、重ね合せ方向に沿う軸線を中心に一方の筐体を回転させるようにした回転式や、操作部側筐体と表示部側筐体とを２軸ヒンジを介して連結したものであってもよい。
【００１８】
図２は、携帯電話機１の機能を示す機能ブロック図である。携帯電話機１は、図２に示すように、操作検出部３１と、送受信部３２と、画像処理部３５と、音声処理部３６と、メモリ（記憶部）３７と、後述する操作検出部３１と制御部３８とを含む主制御部３９とを備える。
操作検出部３１は、操作部１１が操作されたことを検出する。
【００１９】
送受信部３２は、音声情報を始めとする種々の情報を（例えば、マイクにより検出された音を通話信号として）外部機器に送信するための送信部、及び種々の情報を外部機器から受信するための受信部として機能する。送受信部３２は、メインアンテナ３３と、ＲＦ回路部３４とを有する。メインアンテナ３３は、所定の使用周波数帯（例えば、８００ＭＨｚ）で基地局等の外部装置と通信を行う構成である。なお、本実施形態では、所定の使用周波数帯として、８００ＭＨｚとしたが、これ以外の周波数帯であってもよい。
【００２０】
ＲＦ回路部３４は、メインアンテナ３３によって受信した信号を復調処理し、処理後の信号を制御部３８に供給する。また、ＲＦ回路部３４は、制御部３８から供給された信号を変調処理し、メインアンテナ３３を介して外部装置に送信する。
【００２１】
画像処理部３５は、制御部３８の制御にしたがって所定の画像処理を行い、所定の画像処理が行われた画像データを表示部２１に出力する。
【００２２】
音声処理部３６は、制御部３８の制御にしたがって、ＲＦ回路部３４から供給された信号に対して所定の音声処理を行い、処理後の信号をスピーカ２２に出力する。スピーカ２２は、音声処理部３６から供給された信号を外部に出力する。
【００２３】
また、音声処理部３６は、制御部３８の制御にしたがって、マイク２３から入力された信号を処理し、処理後の信号をＲＦ回路部３４に出力する。ＲＦ回路部３４は、音声処理部３６から供給された信号に所定の処理を行い、処理後の信号をメインアンテナ３３に出力する。
【００２４】
メモリ３７は、例えば、ワーキングメモリを含み、制御部３８による演算処理に利用される。また、メモリ３７には、複数のアプリケーションやこのアプリケーションが必要とする各種のテーブル等が記憶されている。また、メモリ３７は、着脱可能な外部メモリを兼ねていてもよい。
制御部３８は、携帯電話機１の全体を制御する。
制御部３８を含む主制御部３９は、中央処理装置（ＣＰＵ）等を用いて構成される。
【００２５】
このように構成される携帯電話機１は、筐体２の内部の電気的な構造を簡略化する機能を有する。
以下に、携帯電話機１に係る上記機能を発揮するための構成について詳述する。図３は、操作部１１を説明するための図である。
【００２６】
マイク（音検出部）２３は、操作部１１が操作されることにより発生する音を検出する。この場合、マイク２３は、操作部１１が操作されることにより発生する音を検出するので、操作部１１に隣接して配置されることが好ましい。
【００２７】
操作部１１は、図３に示すように、弾性部材４０と、ボタン部材４１とを備える。弾性部材４０は、ドーム状の部材から構成されており、頂点付近が押圧された場合には、図３の二点鎖線Ａで示すように、頂点付近が凹むように弾性変形する。弾性部材４０は、弾性変形する際に所定の音を発生する。ボタン部材４１は、図３における上下方向に移動可能とされ、弾性部材４０の上に配置される。ボタン部材４１の底面には、弾性部材４０の頂点付近を押圧する突状の押圧部４２が配置される。ボタン部材４１が押圧された場合、図３の二点鎖線Ｂに示すようにボタン部材４１は下方に移動して押圧部４２により弾性部材４０を押圧し、弾性部材４０を弾性変形させる。
マイク２３は、弾性部材４０が弾性変形することにより発生する所定の音を検出する。
【００２８】
操作検出部３１は、マイク２３により検出された音に基づいて操作部１１への操作を検出する。弾性部材４０が弾性変形する場合に発生した音は、マイク２３によって携帯電話機１に取り込まれる。マイク２３は、弾性部材４０が弾性変形した際に発生した音を取り込んだ場合に、取り込んだ音を電気信号に変換して音信号として操作検出部３１に供給する。操作検出部３１は、マイク２３により検出された音に基づいて操作部１１への操作を検出する。また、操作検出部３１は、マイク２３により検出された音における、特定の周波数成分の音（操作部の操作音に対応する周波数。以下同じ。）に基づいて操作部１１への操作を検出してもよい。この場合、操作検出部３１は、マイク２３から音が供給された場合、その音を音声処理部３６に供給する。音声処理部３６は、供給された音に含まれる周波数を解析する。そして、音声処理部３６は、その解析結果を操作検出部３１に供給し、操作検出部３１は、供給された解析結果に基づいて、マイク２３により検出された音における特定の周波数成分における音が所定の条件を満たしているか否かを判定し、所定の条件を満たしていると判定した場合には、これをもって操作部１１への操作を検出する。つまり、操作検出部３１は、マイク２３により検出された音における特定の周波数成分の音に基づいて操作部１１への操作を検出する。
【００２９】
ここで、周波数解析とは、高速フーリエ変換を行うことにより音を周波数成分毎に解析することをいう。高速フーリエ変換を行う手段は、通話音声のエンコードを行うために携帯電話機１に既に設けられているものを活用すれば、操作部１１の操作を検出するために携帯電話機１に新たに設ける必要がない。音声処理部３６は、周波数解析の結果を操作検出部３１に供給する。操作検出部３１は、音声処理部３６により解析された音における特定の周波数成分の音（操作部の操作音に対応する周波数）が所定の条件を満たしているか否かを判定し（例えば、音量が所定値以上であるか否かを判定し）、その結果、所定の条件を満たしている（例えば、音量が所定値以上である）と判定した場合には、これをもって操作部１１が操作されたこと（ボタン部材４１が押圧されたこと）を検出する。ここで、特定の周波数とは、弾性部材４０が弾性変形する場合に発生する音の周波数と一致する周波数の他、略一致する周波数を含むものをいう。
【００３０】
なお、携帯電話機１が配置される周囲の環境において雑音が発生していることより、操作検出部３１により操作部１１の操作音が検出され難い場合（操作音として判定される確率が低下する場合）がある。このため、携帯電話機１が、通話用のノイズキャンセラーを備える場合、これを活用し、マイク２３により検出された音から特定の周波数成分以外の周波数成分の音を低減し、操作検出部３１における特定の周波数成分の音の検出精度を向上させるようにしてもよい。
【００３１】
また、上記の周波数解析は、操作部の操作音に基づく周波数以外の周波数を除去するフィルタに音信号を通過させることにより、マイク２３により検出された音から特定の周波数成分以外の周波数成分の音を低減し、操作検出部３１における特定の周波数成分の音の検出精度を向上させるようにしてもよい。なお、フィルタは、携帯電話機１のコーデック機能に利用されるために既に設けられているディジタルフィルタ（ＦＩＲフィルタ）を活用すれば、操作部１１の操作を検出するために携帯電話機１に新たに設ける必要がない。このように、操作検出部３１は、マイク２３により検出された音における音声処理部３６において得られた特定の周波数成分の音（操作部の操作音に対応する周波数）に基づいて、操作部１１が操作されたことを検出する。
【００３２】
また、操作検出部３１は、操作部１１が操作されたことを検出する場合、次のような方法により操作部１１への操作を検出してもよい。この場合、操作検出部３１は、マイク２３から音が供給された場合、その音を音声処理部３６に供給する。音声処理部３６は、マイク２３から音が供給された場合、音の振幅（マイク２３により取り込まれた音の大きさ（音量））を解析する。音声処理部３６は、音の振幅を解析した結果を操作検出部３１に供給する。操作検出部３１は、音声処理部３６による解析結果に基づいて、音の振幅の大きさ（音量）と、弾性部材４０が弾性変形する場合に発生する音の大きさ（音量）とが対応するか否かを判定する。操作検出部３１は、音の振幅の大きさと、弾性部材４０が弾性変形する場合に発生する音の大きさとが対応すると判定した場合には、操作部１１への操作を検出する。このように、操作検出部３１は、検出した音に基づいて操作部１１の操作を検出するものであれば、その方法は問わない。
【００３３】
なお、携帯電話機１は、図１に示すように、操作部１１として複数のキー１３，１４，１５を備える場合には、キーが操作されたときに発生する音の周波数又は音量をキー毎に変えればよい。すなわち、操作部１１を構成する複数のキー１３，１４，１５のそれぞれは、他のキーとは異なる音を発生する。この場合、例えば、メモリ３７に複数のキー１３，１４，１５毎に、操作がされた際に生じる操作音の周波数情報や振幅情報（音量情報）等の音情報を記憶しておけば、操作検出部３１は、マイク２３により検出された音とメモリ３７に記憶された周波数情報や振幅情報（音量情報）等の音情報とに基づいて、操作部１１を構成する複数のキー１３，１４，１５うちいずれか１つが操作されたことを検出する。より具体的には、マイク２３により音が検出されると、マイク２３は、その音を音声処理部３６に供給する。音声処理部３６は、マイク２３により供給された音に含まれる周波数や、音の振幅を解析し、その結果を、操作検出部３１に供給する。操作検出部３１は、供給を受けた解析結果と、メモリ３７に記憶された周波数情報や振幅情報等の音情報とを対比し、両者が互いに対応する場合に、操作部１１を構成する複数のキー１３，１４，１５のうちいずれか１つが操作されたことを検出する。ここで、操作検出部３１が音声処理部３６から供給を受けた解析結果と、メモリ３７に記憶された周波数情報や振幅情報等の音情報とが対応する場合とは、例えば、操作検出部３１が音声処理部３６から供給を受けた解析結果に、キー１３に対応してメモリ３７に記憶された周波数情報と略同一の周波数成分の音が含まれており、その音が所定の条件を満たしている（例えば、その音の音量が所定値以上である）、と判定された場合等をいう。
【００３４】
したがって、携帯電話機１は、マイク２３により検出された音に基づいて操作部１１への操作を検出するので、操作部１１への操作を検出するための配線パターンが削減され、筐体２の内部における電気的な構造を簡略化することができる。
【００３５】
また、操作検出部３１は、マイク２３により検出される、操作部１１への操作により押圧されて弾性部材４０が弾性変形するときに生じる音（第１音）と、操作部１１への操作が終了することにより弾性部材４０が弾性変形する前の状態に遷移するときに生じる音（第２音）に基づいて操作部１１への操作を検出することが好ましい。
【００３６】
弾性部材４０は、ボタン部材４１によってドーム形状の頂点部分が押圧されることにより頂点部分が凹むように弾性変形する場合、及びボタン部材４１による頂点部分の押圧が解除されることにより頂点部分が凹む前の状態に戻るように弾性変形する場合にそれぞれ音（第１音及び第２音）を発生する。
【００３７】
マイク２３は、第１音及び第２音を検出する。操作検出部３１は、マイク２３により第１音及び第２音が検出された場合、第１音及び第２音のそれぞれに対応する音を音声処理部３６に供給する。（なお、音声処理部３６への当該供給は、必須ではない。）。そして、音声処理部３６は、マイク２３により供給された第１音及び第２音に含まれる周波数や音信号の振幅等を解析する。音声処理部３６は、その解析結果を操作検出部３１に供給し、操作検出部３１は、第１音及び第２音のそれぞれに対応する音信号の解析の結果に基づいて、操作部１１への操作を検出する。なお、音声処理部３６による解析及び操作検出部３１による検査の方法は、上述の態様（第１音に対応する音のみを対象とする態様）と同様である。
【００３８】
したがって、携帯電話機１は、マイク２３により検出された第１音及び第２音に基づいて操作部１１への操作を検出するので、操作部１１への操作を検出するための配線パターンが削減され、筐体２の内部における電気的な構造を簡略化することができる。
【００３９】
また、弾性部材４０は、導電性のドーム状部材であることが好ましい。この場合、操作部１１は、図３に示すように、第１電極４３と、第１電極４３の周囲に配置される第２電極４４とを備えていてもよい。第２電極４４は、弾性部材４０の平面形状に倣う形状になっており、弾性部材４０が配置される。第１電極４３は、弾性部材４０が凹むように弾性変形した場合に、弾性部材４０の頂点部分と接触する。第１電極４３と第２電極４４とは、弾性部材４０が弾性変形した場合（ボタン部材４１が押圧された場合）に、弾性部材４０を介して電気的に接続する。
【００４０】
操作部１１が第１電極４３及び第２電極４４を備える場合、操作検出部３１は、ボタン部材４１が操作されたことを音により検出することと電気的に検出することを併用する。図４は、操作部１１への操作を音により検出することと電気的に検出することとを併用する場合の操作部１１を説明するための図、及び操作部１１において発生する音の周波数の違いを説明するための図である。
【００４１】
操作部１１は、例えば、図４（ａ）に示すように、３行３列となるようにキーが配置される。操作部１１の各行Ｒ１，Ｒ２，Ｒ３には、２本の信号線が行方向に沿って配置される。２本の信号線は、一方が入力信号線ＲＬ１となり、他方が出力信号線ＲＬ２となる。入力信号線ＲＬ１は、第１電極４３及び第２電極４４のうちの一方と接続し、出力信号線ＲＬ２は、第１電極４３及び第２電極４４のうちの他方と接続する。なお、図４（ａ）は、入力信号線ＲＬ１に第１電極４３が接続され、出力信号線ＲＬ２に第２電極４４が接続された場合を示している。各行Ｒ１，Ｒ２，Ｒ３に配置される出力信号線ＲＬ２は、操作部１１の列方向に沿って配置された信号線ＣＬに接続される。
【００４２】
また、各列Ｃ１，Ｃ２，Ｃ３に配置されるキーは、操作された場合に、他の列に配置されるキーとは異なる音を発生する。例えば、各列Ｃ１，Ｃ２，Ｃ３に配置されるキーを構成する弾性部材４０は、他の列に配置されるキーを構成する弾性部材４０とは直径が異なるように形成される。図４（ａ）に示す場合、第１列Ｃ１に配置されるキーは、小径の弾性部材４０を備える。第２列Ｃ２に配置されるキーは、中径の弾性部材４０を備える。第３列Ｃ３に配置されるキーは、大径の弾性部材４０を備える。
【００４３】
第１列Ｃ１に配置されるキーが操作された場合、図４（ｂ）に示すように、操作されたキーが発生する音の周波数ｆ１は、他の列Ｃ２，Ｃ３に配置されるキーが発生する音の周波数ｆ２，ｆ３よりも高くなる。第２列Ｃ２に配置されるキーが操作された場合、図４（ｂ）に示すように、操作されたキーが発生する音の周波数ｆ２は、他の列Ｃ１，Ｃ３に配置されるキーが発生する音の周波数ｆ１，ｆ３の間となる。第３列Ｃ３に配置されるキーが操作された場合、図４（ｂ）に示すように、操作されたキーが発生する音の周波数ｆ３は、他の列Ｃ１，Ｃ２に配置されるキーが発生する音の周波数ｆ１，ｆ２よりも低くなる。
【００４４】
このような操作部１１において、例えば、第１行第１列（Ｒ１、Ｃ１）のキーが操作された場合、マイク２３は、操作されたキーが発生する音を検出する。操作検出部３１は、マイク２３により取り込まれた音を音声処理部３６に供給する。音声処理部３６は、周波数を解析して周波数ｆ１を得て、解析結果を操作検出部３１に供給する。操作検出部３１は、周波数ｆ１に基づいて、第１列Ｃ１に配置されるキーが操作されたことを検出する。また、第１行第１列（Ｒ１、Ｃ１）のキーが操作された場合に、操作されたキーを構成する第１電極４３と第２電極４４とが弾性部材４０を介して導通するため、第１行Ｒ１に配置される入力信号線ＲＬ１及び出力信号線ＲＬ２と、列方向に沿って配置される信号線ＣＬとが導通する。これにより、操作検出部３１は、第１行Ｒ１に配置されるキーが操作されたことを検出する。したがって、操作検出部３１は、第１行第１列（Ｒ１、Ｃ１）のキーが操作されたことを検出する。
【００４５】
以上説明したように、携帯電話機１は、マイク２３により検出された音に基づいて操作部１１への操作を検出する構成を有するため、キーが配置される各行Ｒ１，Ｒ２，Ｒ３及び各列Ｃ１，Ｃ２，Ｃ３のそれぞれに信号線を配置する必要がない。このため、携帯電話機１は、操作部１１への操作を検出するための配線パターンの数を少なくすること可能であるため、筐体２の内部における電気的な構造を簡略化することができる。
なお、図４を用いて説明した例では、列ごとに操作音の周波数が変わる場合について説明したが、本発明は、上記の例に限定されることはなく、行ごとに操作音の周波数が変わるようになっていてもよい。
【００４６】
また、メモリ３７は、音情報を記憶することが好ましい。この場合、操作検出部３１は、マイク２３により検出された音とメモリ３７に記憶された音情報との対比結果に基づいて操作部１１への操作を検出する。また、制御部３８は、メモリ３７に記憶された音情報を、マイク２３により検出された音に基づいて更新する。
【００４７】
メモリ３７は、キーが操作された場合に発生する音の情報（音情報）を記憶する。具体的には、メモリ３７は、音情報として、各キーが操作された場合に発生する音の周波数の情報や音量の情報等を記憶する。操作検出部３１は、マイク２３から音が供給された場合、音を音声処理部３６に供給して解析させ、解析結果を音声処理部３６から取得する。操作検出部３１は、音声処理部３６の解析結果としての音の周波数又は音量と、メモリ３７に記憶される音情報における周波数又は音量とをそれぞれ対比し、それぞれの周波数又は音量が対応する場合には、対応した音情報に対応するキーが操作されたことを検出する。
【００４８】
ここで、携帯電話機１が長年使用し続けられる場合等には、キーを構成する弾性部材４０の経時変化により、キーが操作された場合に発生する音（周波数や音量）が変化する場合がある。このため、制御部３８は、例えば、操作検出部３１によりキーの操作が検出される毎に、メモリ３７に記憶される音情報をマイク２３から供給された音信号に基づく音情報に書き換えてもよい。具体的な一例としては、マイク２３により検出された音の周波数ｆＭとメモリ３７に記憶される音情報の周波数ｆＳとが略一致し（完全に一致せず）、メモリ３７に記憶される周波数ｆＳの音情報に対応するキーの操作が操作検出部３１により検出された場合には、制御部３８は、メモリ３７に記憶される音情報の周波数ｆＳをマイク２３により検出された音の周波数ｆＭに更新する。なお、制御部３８は、マイク２３により検出された音の周波数ｆＭとメモリ３７に記憶される音情報の周波数ｆＳとが完全に一致する場合には、メモリ３７に記憶される音情報の周波数ｆＳを更新しないようにしてもよい。これにより、制御の簡素化が図られる。
【００４９】
したがって、携帯電話機１は、音情報をマイク２３により検出された音に基づいて更新するので、操作部１１が操作されることにより発生する音が経時変化した場合でも、操作部１１への操作を検出することができる。
【００５０】
以上説明したように、上述した実施形態では、本発明が携帯電話機１に適用される場合を例示して説明した。しかしながら、本発明は、この実施形態に限定されることはなく、例えば、ＰＨＳ（Ｐｅｒｓｏｎａｌ  Ｈａｎｄｙｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）やポータブルゲーム機やポータブルナビゲーションデバイス等の携帯電子機器にも適用することができる。
なお、上述した実施形態は一例であって、本発明は、これに限定されるものではない。
【符号の説明】
【００５１】
１  携帯電話機（携帯電子機器）
１１  操作部
２３  マイク（音検出部）
３１  操作検出部
３２  送受信部
３７  メモリ（記憶部）
３８  制御部
４０  弾性部材
【図１】
2011234058.tif 000003
【図２】
2011234058.tif 000004
【図３】
2011234058.tif 000005
【図４】
2011234058.tif 000006